(57)【要約】【課題】出力音声の音量レベルが変化しないようにサイマル放送間の切替を行う「放送受信装置」を提供する。【解決手段】スピーカ５からＤＡＢの音声を出力している期間中、ノイズ対策として行うＦＭ放送の受信電界強度に応じたＦＭ放送の音声調整機能をオフに設定する。また、ＤＡＢの音声を出力している期間に、その時点で受信しているＤＡＢのサービスの音量レベルと、当該ＤＡＢのサービスとサイマル放送の関係にあるＦＭ放送の音量レベルの差に応じてＦＭ放送の音量レベルのゲインを調整する（図５ａ、ｔ０）。そして、その後、ＤＡＢの受信品質が劣化したならば、スピーカ５から出力する音声を、ＦＭ放送の音声に切り替えると共に、音声調整機能をオンに設定する（図５ａ、ｔ１）。【選択図】図５
2018082350.tif 000002
【特許請求の範囲】
【請求項１】
デジタル放送とアナログ放送とを受信するラジオ受信装置であって、
前記デジタル放送を受信し当該デジタル放送で受信した音声であるデジタル放送音声を出力するデジタル放送受信部と、
前記アナログ放送を受信し当該アナログ放送で受信した音声であるアナログ放送音声を出力する、当該アナログ放送の受信状態に応じて出力するアナログ放送音声を調整する音声調整機能を備えたアナログ放送受信部と、
前記アナログ放送音声の音量レベルを、設定されたゲインで調整する音量レベル調整手段と、
前記デジタル放送音声と前記音量レベル調整手段が音量レベルを調整したアナログ放送音声とのうちの一方を選択的にユーザに対して出力する出力手段と、
制御手段とを有し、
前記制御手段は、
前記出力手段が前記デジタル放送音声を出力している期間中、前記音声調整機能を無効化した状態で前記アナログ放送受信部に、前記デジタル放送受信部が受信しているデジタル放送と同じ内容の放送を行っているアナログ放送を受信させると共に、前記デジタル放送音声の音量レベルと前記アナログ放送音声の音量レベルとに基づいて、前記出力手段で出力する音声を前記デジタル放送音声から前記音量レベル調整手段が音量レベルを調整したアナログ放送音声に切り替えても音量レベルが変化しなくなるゲインを前記音量レベル調整手段に設定する切替準備手段と、
前記出力手段が前記デジタル放送音声を出力しているときに、前記デジタル放送受信部の前記デジタル放送の受信品質が劣化したときに、前記出力手段で出力する音声を前記デジタル放送音声から前記音量レベル調整手段が音量レベルを調整したアナログ放送音声に切り替えると共に、前記アナログ放送受信装置の前記音声調整機能を有効化する出力切替手段とを有することを特徴とする放送受信装置。
【請求項２】
請求項１記載の放送受信装置であって、
前記アナログ放送受信部の音声調整機能は、設定された応答時間特性で前記アナログ放送の受信状態の変化に応答して前記アナログ放送音声を調整し、
前記制御手段は、前記出力手段が前記デジタル放送音声を出力している期間中に、第１の応答時間特性を前記アナログ放送受信部の音声調整機能に設定すると共に、前記出力手段で出力する音声を前記デジタル放送音声から前記音量レベル調整手段が音量レベルを調整したアナログ放送音声に切り替えてから所定時間が経過したときに、前記アナログ放送受信部の音声調整機能の応答時間が前記第１の応答時間特性よりも短くなる第２の応答時間特性を前記アナログ放送受信部の音声調整機能に設定することを特徴とする放送受信装置。
【請求項３】
請求項１または２記載の放送受信装置であって、
前記アナログ放送受信部の音声調整機能は、アナログ放送の受信電界強度が低下したときに、前記アナログ放送音声の高域成分を減衰させるハイカット機能を含むことを特徴とする放送受信装置。
【請求項４】
請求項１、２または３記載の放送受信装置であって、
前記アナログ放送受信部の音声調整機能は、アナログ放送の受信電界強度が低下したときに、前記アナログ放送音声の音量レベルを低下させるソフトミュート機能を含むことを特徴とする放送受信装置。
【請求項５】
請求項１、２、３または４記載の放送受信装置であって、
前記アナログ放送は、ＦＭ放送であることを特徴とする放送受信装置。
【請求項６】
請求項１、２、３、４または５記載の放送受信装置であって、
前記デジタル放送は、ＤＡＢ（Digital Audio Broadcasting）であることを特徴とする放送受信装置。
【請求項７】
請求項１、２、３、４、５または６記載の放送受信装置であって、
当該放送受信装置は移動体に搭載されるものであることを特徴とする放送受信装置。
【発明の詳細な説明】
【技術分野】
【０００１】
本発明は、放送受信装置において、受信中の放送サービスから、当該放送サービスと同内容の放送を行っている放送サービスに、受信対象を切り替える技術に関するものである。
【背景技術】
【０００２】
受信中の放送サービスから、当該放送サービスと同内容の放送を行っている放送サービス（受信中の放送サービスとサイマル放送の関係にある放送サービス）に、受信対象を切り替える技術としては、ＤＡＢ（デジタルオーディオ放送：Digital Audio Broadcasting）とＦＭ放送とを受信するラジオ放送受信装置において、受信中のＤＡＢのサービスの受信品質が劣化したときに、当該ＤＡＢのサービスと同内容の放送を行っているＦＭ放送のステーションに、受信対象を切り替える技術が知られている（たとえば、特許文献１、２）。
【０００３】
また、このような同一内容の放送を行っているＤＡＢのサービスとＦＭ放送のステーションとの間で受信対象を切り替える際に、切替前後で出力する音声の音量レベルに差が発生しないように、ＤＡＢのサービスとＦＭ放送のステーションの受信音声の音量レベルに応じて、切替時に出力音声の音量レベルを調整する技術も知られている（たとえば、特許文献３）。
【０００４】
また、ＦＭ放送を受信するラジオ受信装置において、放送の受信電界強度が小さくなったときに出力する音声の高域成分を減衰させるハイカットや、放送の受信電界強度が小さくなったときに出力する音声の音量レベルを小さくするソフトミュートなどの、放送の受信電界強度劣化時のノイズによる不快感を低減する技術も知られている（たとえば、特許文献４、５）。
【先行技術文献】
【特許文献】
【０００５】
【特許文献１】特開２０１３-１２０９６７号公報
【特許文献２】特開２０１２-２４９２７７号公報
【特許文献３】特開２００１-１９６９５２号公報
【特許文献４】特開２００８-  ６０７７４号公報
【特許文献５】特開平  ０６-２３２８２９号公報
【発明の概要】
【発明が解決しようとする課題】
【０００６】
上述のように同一内容の放送を行っているＤＡＢのサービスとＦＭ放送のステーションとの間で受信対象を切り替える際に、切替前後で出力する音声の音量レベルに差が発生しないように、ＤＡＢのサービスとＦＭ放送のステーションの受信音声の音量レベルに応じて、切替時に出力音声の音量レベルを調整するラジオ受信装置において、ＦＭ放送について上述したハイカットやソフトミュートを実行している場合、切替前後において出力する音量レベルに比較的大きな差が発生してしまい、ユーザに不快感を与えてしまうことがある。
【０００７】
すなわち、この場合、ＤＡＢからＦＭ放送への切替前にＦＭ放送の受信音声の音量レベルを検出し、検出した音量レベルに応じてＦＭ放送の受信音声の音量レベルを調整し、出力音声のＤＡＢからＦＭ放送への切替を行うという手順を経ることとなる。また、ＦＭ放送の受信音声の音量レベルの検出は、ＤＡＢの受信品質が劣化したときに直ちにＦＭ放送に切り替えられるように、ＤＡＢの受信品質が劣化する以前の時点において事前に行っておくこととなる。そして、このために、ＦＭ放送の受信音声の音量レベルを検出した後、出力音声のＤＡＢからＦＭ放送への切替を行うまでの間に、ＦＭ放送の受信電界強度が変化し、ハイカットやソフトミュートによってＦＭ放送の受信音声の音量レベルが大きく変化することがある。そして、このようにＦＭ放送の受信音声の音量レベルが大きく変化した場合には、検出したＦＭ放送の受信音声の音量レベルに応じて調整した音量レベルは、切り替え時のＤＡＢの受信音声の音量レベルと一致しなくなり、切替前後において出力する音量レベルに比較的大きな差が発生することとなる。
【０００８】
そこで、本発明は、ハイカットやソフトミュート等の受信電界強度に応じた音声処理を行う放送受信装置において、受信中の放送サービスから、当該放送サービスと同内容の放送を行っている放送サービスに、出力音声の音量レベルが変化しないように受信対象を切り替えることを課題とする。
【課題を解決するための手段】
【０００９】
前記課題達成のために、本発明は、デジタル放送とアナログ放送とを受信するラジオ受信装置に、前記デジタル放送を受信し当該デジタル放送で受信した音声であるデジタル放送音声を出力するデジタル放送受信部と、前記アナログ放送を受信し当該アナログ放送で受信した音声であるアナログ放送音声を出力する、当該アナログ放送の受信状態に応じて出力するアナログ放送音声を調整する音声調整機能を備えたアナログ放送受信部と、前記アナログ放送音声の音量レベルを、設定されたゲインで調整する音量レベル調整手段と、前記デジタル放送音声と前記音量レベル調整手段が音量レベルを調整したアナログ放送音声とのうちの一方を選択的にユーザに対して出力する出力手段と、制御手段とを備えたものである。ここで、前記制御手段は、前記出力手段が前記デジタル放送音声を出力している期間中、前記音声調整機能を無効化した状態で前記アナログ放送受信部に、前記デジタル放送受信部が受信しているデジタル放送と同じ内容の放送を行っているアナログ放送を受信させると共に、前記デジタル放送音声の音量レベルと前記アナログ放送音声の音量レベルとに基づいて、前記出力手段で出力する音声を前記デジタル放送音声から前記音量レベル調整手段が音量レベルを調整したアナログ放送音声に切り替えても音量レベルが変化しなくなるゲインを前記音量レベル調整手段に設定する切替準備手段と、前記出力手段が前記デジタル放送音声を出力しているときに、前記デジタル放送受信部の前記デジタル放送の受信品質が劣化したときに、前記出力手段で出力する音声を前記デジタル放送音声から前記音量レベル調整手段が音量レベルを調整したアナログ放送音声に切り替えると共に、前記アナログ放送受信装置の前記音声調整機能を有効化する出力切替手段とを備えている。
【００１０】
このような放送受信装置によれば、前記デジタル放送音声を出力している期間、アナログ放送の受信状態に応じて出力するアナログ放送音声を調整する音声調整機能を無効化するので、当該期間中に、デジタル放送音声の音量レベルとアナログ放送音声の音量レベルとに基づいて、出力手段で出力する音声を前記デジタル放送音声から前記音量レベル調整手段が音量レベルを調整したアナログ放送音声に切り替えても音量レベルが変化しなくなるゲインを前記音量レベル調整手段に設定した後に、デジタル放送の受信品質が劣化し、出力手段で出力する音声を前記デジタル放送音声から前記音量レベル調整手段が音量レベルを調整したアナログ放送音声に切り替えるまでの間に、アナログ放送受信部から出力されるアナログ放送音声の音量レベルは大きく変化しないことが蓋然性が高い。
【００１１】
よって、出力手段で出力する音声を前記デジタル放送音声から前記音量レベル調整手段が音量レベルを調整したアナログ放送音声に切り替えたときに、切替前後で出力される音量レベルが変化しないことが期待できる。
【００１２】
ここで、このような放送受信装置は、前記アナログ放送受信部の音声調整機能を、設定された応答時間特性で前記アナログ放送の受信状態の変化に応答して前記アナログ放送音声を調整するものとし、前記制御手段において、前記出力手段が前記デジタル放送音声を出力している期間中に、第１の応答時間特性を前記アナログ放送受信部の音声調整機能に設定すると共に、前記出力手段で出力する音声を前記デジタル放送音声から前記音量レベル調整手段が音量レベルを調整したアナログ放送音声に切り替えてから所定時間が経過したときに、前記アナログ放送受信部の音声調整機能の応答時間が前記第１の応答時間特性よりも短くなる第２の応答時間特性を前記アナログ放送受信部の音声調整機能に設定するようにしてもよい。
【００１３】
このようにすることにより、前記出力手段で出力する音声を前記デジタル放送音声から前記音量レベル調整手段が音量レベルを調整したアナログ放送音声に切り替える際に、前記アナログ放送受信装置の前記音声調整機能を有効化したときに、当該音声調整機能の無効/有効の切替によって出力手段から出力される音声の音量レベルが急峻に変化してしまうことを抑止することができる。
【００１４】
ここで、以上の放送受信装置において、前記アナログ放送受信部の音声調整機能は、アナログ放送の受信電界強度が低下したときに、前記アナログ放送音声の高域成分を減衰させるハイカット機能を含むものとしてもよい。
【００１５】
また、以上の放送受信装置において、前記アナログ放送受信部の音声調整機能は、アナログ放送の受信電界強度が低下したときに、前記アナログ放送音声の音量レベルを低下させるソフトミュート機能を含むものとしてもよい。
【００１６】
また、以上の放送受信装置において、前記アナログ放送は、たとえば、ＦＭ放送とすることができる。
また、以上の放送受信装置において、前記デジタル放送は、たとえば、ＤＡＢ（Digital Audio Broadcasting）としてもよい。
また、以上の放送受信装置は移動体に搭載されるものであってもよい。
【発明の効果】
【００１７】
以上のように、本発明によれば、ハイカットやソフトミュート等の受信電界強度に応じた音声処理を行う放送受信装置において、受信中の放送サービスから、当該放送サービスと同内容の放送を行っている放送サービスに、出力音声の音量レベルが変化しないように受信対象を切り替えることができる。
【図面の簡単な説明】
【００１８】
【図１】本発明の実施形態に係るラジオ放送受信装置の構成を示すブロック図である。
【図２】本発明の実施形態に係る切替処理部の構成を示すブロック図である。
【図３】本発明の実施形態に係るＦＭ放送切替準備処理を示すフローチャートである。
【図４】本発明の実施形態に係るＦＭ放送切替処理を示すフローチャートである。
【図５】本発明の実施形態に係るラジオ放送受信装置の動作例を示す図である。
【図６】本発明の実施形態に係るＤＡＢ放送切替処理を示すフローチャートである。
【発明を実施するための形態】
【００１９】
以下、本発明の実施形態について説明する。
図１に、本実施形態に係るラジオ受信装置の構成を示す。
図示するように、ラジオ放送受信機は、自動車に搭載されるラジオ受信機やポータブルラジオ受信機などの位置が変動するラジオ放送受信機である。
そして、図示するように、ラジオ放送受信機は、ＤＡＢ受信部１、ＦＭ受信部２、切替処理部３、アンプ４、スピーカ５、制御部６、表示部７、操作部８を備えている。
ここで、ＤＡＢ受信部１は、ＤＡＢ（ＤＡＢ+を含む）の放送規格によるラジオ放送を受信する受信部であり、ＤＡＢフロントエンド１１（ＤＡＢ  Ｆ／Ｅ１１）、ＤＡＢデコーダ１２、オーディオデコーダ１３を備えている。
【００２０】
また、ＦＭ受信部２は、ＦＭ放送の放送規格によるラジオ放送を受信する受信部であり、ＦＭフロントエンド２１（ＦＭ  Ｆ／Ｅ２１）、ＦＭ復調部２２、ＲＤＳデコーダ２３、ＡＤコンバータ２４（Ａ/Ｄ２４）、音声調整部２５を備えている。
【００２１】
さて、ここで、ＤＡＢでは、一つの周波数チャネルで、各々が一つの音声放送に相当するサービスを複数放送することができ、各サービスは、当該サービスによって放送されるサービス識別子ＳＩＤによって識別される。また、同じ周波数チャネルで放送されるサービスの集まりをアンサンブルと呼ぶ。
【００２２】
このような構成において、ＤＡＢ受信部１は、以下のようなサービスの受信動作を行う。
すなわち、サービスの受信動作において、ＤＡＢ受信部１のＤＡＢフロントエンド１１は、ＤＡＢ受信チャネルとして設定された周波数チャネルのＤＡＢを受信し、受信データをＤＡＢデコーダ１２に送る。ＤＡＢデコーダ１２は、ＤＡＢフロントエンド１１から送られた受信データのうちから、ＤＡＢ受信サービスとして設定されたサービスで受信したオーディオデータをオーディオデコーダ１３に送ると共に、オーディオデータと共に受信したサービス識別子ＳＩＤやサービスリンキング情報を制御部６に送る。そして、オーディオデコーダ１３は、ＤＡＢデコーダ１２から送られたオーディオデータをデコードして切替処理部３に出力する。また、ＤＡＢフロントエンド１１やＤＡＢデコーダ１２は、ＤＡＢ受信チャネルの受信電界強度やＳＮ比や受信データの誤り率などの、ＤＡＢのサービスの受信品質に係る情報を検出して制御部６に通知する。
【００２３】
以上のサービスの受信動作において、ＤＡＢ受信チャネルで放送を行っているサービスのうちの、ＤＡＢ受信サービスとして設定されたサービスが、当該受信動作の対象のサービスに該当する。
【００２４】
また、ＦＭ受信部２は、以下のようなステーションの受信動作を行う。
すなわち、ステーションの受信動作において、ＦＭ受信部２のＦＭフロントエンド２１は、ＦＭ受信チャネルとして設定された周波数チャネルを受信し、受信信号をＦＭ復調部２２に送る、ＦＭ復調部２２は受信信号から音声信号を復調してＡＤコンバータ２４に送る。ＡＤコンバータ２４は送られた音声信号をオーディオデータに変換し音声調整部２５に送る。音声調整部２５は、ＦＭ復調部２２から送られたオーディオデータに所定の音声調整処理を施し切替処理部３に送る。また、ＦＭ復調部２２は、ＲＤＳ（Radio Data System）によって音声信号に多重化されて送信されたデータ信号をＲＤＳデコーダ２３に送り、ＲＤＳデコーダ２３はデータ信号からデータをデコードし制御部６に送る。ここで、ＲＤＳデコーダ２３が制御部６に送るデータには、ＦＭ受信チャネルとして設定された周波数チャネルのステーションからＦＭ放送されるプログラム（番組）の識別子となるプログラム識別子ＰＩや、ＡＦリストなどが含まれる。また、ＦＭフロントエンド２１は、ＦＭ受信チャネルの受信電界強度やＳＮ比などの、ＦＭ受信チャネルのＦＭ放送の受信品質に係る情報を検出して制御部６に通知する。
【００２５】
ここで、上述した音声調整部２５が行う音声調整処理とは、ＦＭフロントエンド２１が検出しているＦＭ受信チャネルの受信電界強度が所定のしきい値以下であるときに、受信電界強度が小さくなるほどオーディオデータの高域成分を大きく減衰させるハイカット処理と、ＦＭフロントエンド２１が検出しているＦＭ受信チャネルの受信電界強度が所定のしきい値以下であるときに、受信電界強度が小さくなるほどオーディオデータの音量レベルを小さくするソフトミュート処理である。
【００２６】
なお、以上のステーションの受信動作において、ＦＭ受信チャネルで放送を行っているステーションが受信動作の対象のステーションに該当する。
ここで、制御部６は、ＤＡＢ受信部１から、通知されたサービスの受信品質に係る情報から、そのデジタル放送受信部が受信動作を行っているＤＡＢのサービスの受信品質を算定し、ＦＭ受信部２のＦＭフロントエンド２１から通知されたＦＭ放送の受信品質に係る情報から、そのＦＭ受信部２が受信動作を行っているＦＭ放送のステーションの受信品質を算定する。
【００２７】
さて、ＤＡＢのサービスで放送される内容と、当該サービスのＳＩＤと一致するＰＩのプログラムを放送しているＦＭ放送のステーションは、同内容のプログラム（番組）を放送している。また、ＦＭ放送で受信するＡＦリストは、同じＰＩのプログラムを放送している他のＦＭ放送の周波数である代替周波数を示す。また、ＤＡＢのサービスで受信するサービスリンキング情報は、プログラム（番組）毎に、そのプログラムを放送しているＤＡＢのサービス、ＦＭ放送のステーションの識別を示す。
【００２８】
したがって、制御部６は、ＤＡＢのサービスのＳＩＤ、ＦＭ放送のＰＩ、ＦＭ放送で受信するＡＦリスト、ＤＡＢで受信するサービスリンキング情報に基づいて、プログラム毎に、同内容のプログラムを放送している、すなわち、サイマル放送の関係にあるＤＡＢのサービス、ＦＭ放送のステーションを知ることができる。
【００２９】
次に、図２に、切替処理部３の構成を示す。
図示するように、切替処理部３は、ＤＡＢ受信部１から送られたオーディオデータを格納する第１バッファ３１、ＦＭ受信部２から送られたオーディオデータを格納する第２バッファ３２、同期処理部３３、第１音量レベル検出部３４、第２音量レベル検出部３５、第１デジタルアンプ３６、第２デジタルアンプ３７、セレクタ３８、ＤＡコンバータ３９（Ｄ/Ａ３９）を備えている。
【００３０】
このような構成において同期処理部３３は、第１バッファ３１と第２バッファ３２に格納されたオーディオデータを比較し、相互にサイマル放送の関係にあるＤＡＢのオーディオデータとＦＭ放送のオーディオデータの同じ音声に対応する部分が第１バッファ３１と第２バッファ３２から同時に出力されるように、第１バッファ３１と第２バッファ３２による各オーディオデータの遅延時間をそれぞれ設定する同期処理と、第１バッファ３１と第２バッファ３２に、それぞれ、当該バッファに設定した遅延時間オーディオデータを遅延させて出力させる処理を行う。
【００３１】
また、第１音量レベル検出部３４は、第１バッファ３１から出力されるＤＡＢのオーディオデータの音量レベルを検出して制御部６に通知し、第２音量レベル検出部３５は、第２バッファ３２から出力されるＦＭ放送のオーディオデータの音量レベルを検出て制御部６に通知する。
【００３２】
また、第１デジタルアンプ３６は制御部６から設定されたゲインで第１バッファ３１から出力されるＤＡＢのオーディオデータを増幅してセレクタ３８に送り、第２デジタルアンプ３７は制御部６から設定されたゲインで第２バッファ３２から出力されるＦＭ放送のオーディオデータを増幅してセレクタ３８に送る。
【００３３】
そして、セレクタ３８は、制御部６の制御に従って、第１デジタルアンプ３６から出力されるＤＡＢのオーディオデータと第２デジタルアンプ３７から出力されるＦＭ放送のオーディオデータの二つのオーディオデータのうちの一方をＤＡコンバータ３９に送り、ＤＡコンバータ３９はセレクタ３８から送られたオーディオデータをアナログの音声信号に変換してアンプ４に出力する。
【００３４】
さて、このようなラジオ受信機の構成において、制御部６は、表示部７を用いた適当なユーザインタフェースで、ユーザから操作部８を介した特定のＤＡＢのサービスの受信の要求が発生したならば、受信対象放送を受信を要求されたサービスに切り替える。
【００３５】
そして、制御部６は、ユーザの要求に応じて受信対象放送がＤＡＢのサービスに切り替ったならば、当該サービスが含まれるアンサンブルの周波数チャネルをＤＡＢ受信チャネルとして、ＤＡＢフロントエンド１１に設定し、当該サービスをＤＡＢ受信サービスとして、ＤＡＢデコーダ１２に設定することにより当該サービスの受信動作をＤＡＢ受信部１に行わせる。
【００３６】
また、制御部６は、切替処理部３のセレクタ３８に、第１バッファ３１から出力されるＤＡＢのオーディオデータをＤＡコンバータ３９に出力させる。
ここで、この結果、受信対象放送であるユーザが受信を要求したＤＡＢのサービスで放送されている音声がスピーカ５からユーザに出力されることとなる。
なお、初期状態において、第１バッファ３１と第２バッファ３２の遅延時間や、第１デジタルアンプ３６と第２デジタルアンプ３７のゲインは所定の初期値に設定されている。
さて、制御部６は、受信対象放送がＤＡＢのサービスに、ＦＭ放送のステーションや他のＤＡＢのサービスから切り替わると、図３に示すＦＭ放送切替準備処理を開始し、そのＤＡＢのサービスが受信対象放送であることを継続している期間中、当該ＦＭ放送切替準備処理の実行を継続する。
【００３７】
図示するように、このＦＭ放送切替準備処理では、制御部６は、まず、ＦＭ受信部２の音声調整部２５の音声調整機能をオフに設定し、ＦＭ受信部２の音声調整部２５において上述したハイカット処理やソフトミュート処理などの音声調整処理が行われないようにする（ステップ３０２）。なお、ＦＭ受信部２の音声調整部２５は音声調整機能がオフに設定されている期間中は、ＦＭ復調部２２から送られたオーディオデータをそのまま切替処理部３に送る。
【００３８】
そして、制御部６は、次に、ＦＭ受信部２の音声調整部２５の応答時間特性を長時間設定に設定する（ステップ３０４）。ここで、ハイカット処理では、受信電界強度が変化したときに、オーディオデータの高域成分の減衰率を漸次的に変化させて、オーディオデータの高域成分の減衰率を受信電界強度に応じた減衰率まで変化させる処理を行う。また、ソフトミュート処理では、受信電界強度が変化したときに、オーディオデータの音量レベルを漸次的に変化させて、オーディオデータの音量レベルを受信電界強度に応じた音量レベルまで変化させる処理を行う。また、音声調整部２５の応答時間特性とは、ハイカット処理であれば、受信電界強度が変化してから、オーディオデータの高域成分の減衰率が受信電界強度に応じた減衰率に変化するまでの時間である応答時間を示し、ソフトミュート処理であれば、受信電界強度が変化してから、オーディオデータの音量レベルが受信電界強度に応じた音量レベルに変化するまでの時間である応答時間を規定するものである。
【００３９】
ここで、ＦＭ受信部２の音声調整部２５の応答時間特性としては、上述した長時間設定と通常時間設定とを選択的に設定可能であり、ＦＭ受信部２の音声調整部２５の応答時間特性が長時間設定に設定されているときには、通常時間設定が設定されているときよりもハイカット処理やソフトミュート処理の応答時間は比較的長い時間となる。換言すれば、ＦＭ受信部２の音声調整部２５の応答時間特性が長時間設定に設定されているときには、ハイカット処理におけるオーディオデータの高域成分の減衰率の変化は、通常時間設定が設定されているときよりもゆるやかとなり、ソフトミュート処理におけるオーディオデータの音量レベルの変化は、通常時間設定が設定されているときよりもゆるやかとなる。
【００４０】
さて、次に制御部６は、ＤＡＢ受信部１で受信中のＤＡＢとサイマル放送の関係にある受信可能なＦＭ放送のステーションが存在するかどうかを、ＤＡＢ受信部１で受信中のＤＡＢとサイマル放送の関係にあるＦＭ放送の各ステーションの受信を、順次、ＦＭ受信部２に行わせながら、各ステーションの受信品質を算定することにより調査する（ステップ３０６）。そして、存在しない場合には、受信中のＤＡＢとサイマル放送の関係にある受信可能なＦＭ放送のステーションが発生するまでステップ３０６の処理を繰り返す。
【００４１】
一方、受信中のＤＡＢとサイマル放送の関係にある受信可能なＦＭ放送のステーションが存在する場合には、存在したＦＭ放送のステーションのうちの受信状態が最良のＦＭ放送のステーションの受信をＦＭ受信部２に開始させる（ステップ３０８）。
【００４２】
また、切替処理部３の同期処理部３３に上述した同期処理を開始させる（ステップ３１０）。
次に、同期処理部３３の同期処理が完了し、ＤＡＢ受信部１で受信したＤＡＢのオーディオデータとＦＭ受信部２で受信したＦＭ放送のオーディオデータの同じ音声に対応する部分が第１バッファ３１と第２バッファ３２から同時に出力されるようになったならば（ステップ３１２）、切替処理部３の第１音量レベル検出部３４と第２音量レベル検出部３５から、ＤＡＢのオーディオデータの音量レベルとＦＭ放送のオーディオデータの音量レベルを取得する（ステップ３１４）。
【００４３】
そして、取得したＦＭ放送のオーディオデータと音量レベルと、取得したＤＡＢのオーディオデータの音量レベルと、第１デジタルアンプ３６に設定しているゲインとに基づいて、セレクタ３８に入力するＦＭ放送のオーディオデータの音量レベルをセレクタ３８に入力しているＤＡＢのオーディオデータの音量レベルに一致させる第２デジタルアンプ３７のゲインを算定し、第２デジタルアンプ３７に設定する（ステップ３１６）。
【００４４】
そして、所定のタイムアウト時間（たとえば、数分）を持つタイマをスタートし（ステップ３１８）、タイマがタイムアウトしたならば（ステップ３２０）、ステップ３０６からの処理に戻る。
【００４５】
以上、制御部６が、受信対象放送がＤＡＢのサービスである期間中行うＦＭ放送切替準備処理について説明した。
以上のようなＦＭ放送切替準備処理によれば、受信対象放送がＤＡＢのサービスである期間中、すなわち、ＤＡＢ受信部１で受信したＤＡＢの音声をスピーカ５から出力している期間中、当該ＤＡＢとサイマル放送の関係にある受信可能なＦＭ放送のステーションのＦＭ受信部２における受信と、切替処理部３におけるＤＡＢ受信部１で受信したＤＡＢのオーディオデータとＦＭ受信部２で受信したＦＭ放送のオーディオデータとの同期がバックグランドで行われると共に、ＦＭ受信部２で受信したＦＭ放送のオーディオデータの音量レベルの検出と第２デジタルアンプ３７のゲインの調整が定期的に行われる。
【００４６】
次に、制御部６は、受信対象放送がＤＡＢのサービスである期間中に、ＤＡＢ受信部１のＤＡＢの受信品質が劣化すると、ＦＭ受信部２でＤＡＢのサービスとサイマル放送の関係にあるＦＭ放送のステーションを受信しているかどうかを調べ、受信している場合には、受信対称放送を、ＦＭ受信部２で受信しているＦＭ放送のステーションに切り替えるＦＭ放送切替処理を行う。
【００４７】
図４に、このＦＭ放送切替処理の手順を示す。
図示するように、制御部６はＦＭ放送切替処理において、まず、ＦＭ受信部２の音声調整部２５の音声調整機能をオンに切り替える（ステップ４０２）。
そして、受信対象放送をＦＭ受信部２で受信しているＦＭ放送のステーションに切り替え、セレクタ３８がＤＡコンバータ３９に出力するオーディオデータを、第２デジタルアンプ３７から出力されるＦＭ放送のオーディオデータに切り替える（ステップ４０４）。
【００４８】
ここで、これにより、スピーカ５から出力される音声が、ＦＭ放送の音声に切り替わる。
また、この時点までに、上述したＦＭ放送切替準備処理により、切替前のＤＡＢのオーディオデータと切替後のＦＭ放送のオーディオデータは同期化、同音量レベル化されているので、スピーカ５から出力される音声はＤＡＢのサービスの音声からＦＭ放送のステーションの音声にシームレスに切り替わることとなる。また、換言すれば、ＦＭ放送切替準備処理により、事前に、切替前のＤＡＢのオーディオデータと切替後のＦＭ放送のオーディオデータを同期化、同音量レベル化しているので、受信対象放送であるＤＡＢのサービスの受信品質が劣化したならば、即座に、受信対象放送をＦＭ放送に切り替えることができる。
【００４９】
次に、タイマをスタートし（ステップ４０６）、タイマのタイムアウトを待つ。ここで、タイマのタイムアウト時間は、応答時間特性を長時間設定にしたときの、ＦＭ受信部２の音声調整部２５のハイカット処理やソフトミュート処理の最大応答時間相当の時間とする。
【００５０】
そして、タイマがタイムアウトしたならば（ステップ４０８）、ＦＭ受信部２の音声調整部２５の応答時間特性を、上述した通常時間設定に設定し（ステップ４１０）、ＦＭ放送切替処理を終了する。
【００５１】
以上、制御部６が行うＦＭ放送切替処理について説明した。
図５ａに、このようなＦＭ放送切替準備処理とＦＭ放送切替処理の動作例を示す。
図示した例では、受信対象放送がＤＡＢのサービスでありスピーカ５からＤＡＢの音声が出力されているときに、時刻ｔ０でＦＭ放送切替準備処理によって、その時点のＤＡＢのオーディオデータの音量レベルとＦＭ放送のオーディオデータの音量レベルの差に応じて、ＦＭ放送のオーディオデータのゲインＧが、スピーカ５から出力する音声をＦＭ放送の音声に切り替えたときに、当該ＦＭ放送の音声が現在スピーカから出力されているＤＡＢの音声と同じ音量レベルで出力されるように調整される。
【００５２】
そして、その後、時刻ｔ１で、受信対象放送であるＤＡＢのサービスの受信品質が劣化すると、ＦＭ放送切替処理によって、スピーカ５から出力する音声が、ＦＭ放送の音声に切り替えられる。ここで、受信対象放送がＤＡＢのサービスである期間中、ＦＭ受信部２の音声調整部２５の音声調整機能はオフに設定されているので、時刻ｔ０から時刻ｔ１までの間に、ＦＭ受信部２から出力されるＦＭ放送の音声の音量レベルは大きく変化していないことが期待できる。
【００５３】
よって、時刻ｔ１でスピーカ５から出力する音声をＤＡＢの音声からＦＭ放送の音声に切り替えたときに、切替前後でスピーカ５から出力される音量レベルに大きな差は生じず、シームレスに出力音声がＤＡＢの音声からＦＭ放送の音声に切り替わることが期待できる。
【００５４】
また、時刻ｔ１でＦＭ受信部２の音声調整部２５の音声調整機能はオフからオンに切り替えられるが、この時点では、ＦＭ受信部２の音声調整部２５の音声調整機能の応答時間特性はＦＭ放送切替準備処理によって長時間設定に設定されたままであるので、音声調整機能のオフからオンへの切替による出力音量レベルの急激な変化も抑制される。
【００５５】
そして、その後、所定の期間が経過した時刻ｔ２において、ＦＭ受信部２の音声調整部２５の音声調整機能の応答時間特性は通常時間特性に設定され、以降、音声調整部２５の音声調整機能によって、ＦＭ放送の受信電界強度の低下時のノイズの出力による不快感が効果的に抑制されることとなる。
【００５６】
次に、図５ｂに、本実施形態に対する比較例として、応答時間特性を通常時間特性としたＦＭ受信部２の音声調整部２５の音声調整機能を常時オンとした場合の出力音量レベルの変化を示す。
【００５７】
この例では、受信対象放送がＤＡＢのサービスでありスピーカ５からＤＡＢの音声が出力されているときに、時刻ｔ０で、その時点のＤＡＢのオーディオデータの音量レベルとＦＭ放送のオーディオデータの音量レベルの差に応じて、ＦＭ放送のオーディオデータのゲインＧが、スピーカ５から出力する音声をＦＭ放送の音声に切り替えたときに、当該ＦＭ放送の音声が現在スピーカから出力されているＤＡＢの音声と同じ音量レベルで出力されるように調整される。
【００５８】
そして、その後、時刻ｔ１で、受信対象放送であるＤＡＢのサービスの受信品質が劣化すると、スピーカ５から出力する音声が、ＦＭ放送の音声に切り替えられる。
ここで、受信対象放送がＤＡＢのサービスである期間中も、ＦＭ受信部２の音声調整部２５の音声調整機能はオンに設定されているので、図示するように、ＦＭ放送の受信電界強度の変化によって、時刻ｔ０から時刻ｔ１までの間に、ＦＭ受信部２から出力されるＦＭ放送の音声の音量レベルが大きく変化することがある。すなわち、時刻ｔ０ではＦＭ放送の受信電界強度が良好であって音声調整部２５の音声調整機能によってハイカットやソフトミュートが行われていない一方で、時刻ｔ１までにＦＭ放送の受信電界強度が劣化し、時刻ｔ１で音声調整部２５の音声調整機能によってハイカットやソフトミュートが行われている場合には、図５ｂに示すように時刻ｔ１ではＦＭ放送の音声の音量レベルが時刻ｔ０より低下する。また、逆に、時刻ｔ０ではＦＭ放送の受信電界強度が劣化しており音声調整部２５の音声調整機能によってハイカットやソフトミュートが行われている一方で、時刻ｔ１までにＦＭ放送の受信電界強度が良好となり、時刻ｔ１で音声調整部２５の音声調整機能によってハイカットやソフトミュートが行われていない場合には、時刻ｔ１ではＦＭ放送の音声の音量レベルが時刻ｔ０より大きくなる。
【００５９】
そして、音量レベルが大きく変化した場合、時刻ｔ１におけるＦＭ受信部２が出力するＦＭ放送の音声とＤＡＢ受信部１が出力するＤＡＢの音声の音量レベルの差は、時刻ｔ０における差とは大きく異なったものとなるので、時刻ｔ０における差に応じてゲインＧを調整した時刻ｔ１におけるＦＭ放送の音声の音量レベルは、時刻ｔ１におけるＤＡＢの音声の音量レベルと大きく異なったものとなり、時刻ｔ１でスピーカ５から出力する音声をＤＡＢの音声からＦＭ放送の音声に切り替えたときに切替前後でスピーカ５から出力される音量レベルに大きな差は生じてしまうこととなる。
【００６０】
さて、次に、制御部６は、受信対象放送がＦＭ放送のステーションである期間中、当該サイマル放送の関係にあるＤＡＢのステーションの周波数チャネルの受信を、順次、ＤＡＢ受信部１に行わせながら、各周波数チャネルの受信品質を算定することにより、受信対象放送であるＦＭ放送のステーションとサイマル放送の関係にあるＤＡＢのサービスが受信可能であるかどうかを探索する処理を繰り返す。
【００６１】
そして、受信対象放送であるＦＭ放送のステーションとサイマル放送の関係にあるＤＡＢのサービスが受信可能となったならば、ＤＡＢ受信部１に当該ＤＡＢのサービスの受信を開始させると共に、受信対象放送を、ＦＭ放送のステーションから、探索したＤＡＢのサービスに切り替えるＤＡＢ切替処理を行う。
【００６２】
図６に、このＤＡＢ切替処理の手順を示す。
図示するように制御部６は、このＤＡＢ切替処理において、まず、切替処理部３の同期処理部３３に上述した同期処理を開始させる（ステップ６０２）。そして、同期処理部３３の同期処理が完了し、ＤＡＢ受信部１で受信したＤＡＢのオーディオデータとＦＭ受信部２で受信したＦＭ放送のオーディオデータの同じ音声に対応する部分が第１バッファ３１と第２バッファ３２から同時に出力されるようになったならば（ステップ６０４）、切替処理部３の第１音量レベル検出部３４と第２音量レベル検出部３５から、ＤＡＢのオーディオデータの音量レベルとＦＭ放送のオーディオデータの音量レベルを取得する（ステップ６０６）。
【００６３】
そして、取得したＦＭ放送のオーディオデータと音量レベルと、取得したＤＡＢのオーディオデータの音量レベルと、第２デジタルアンプ３７に設定しているゲインとに基づいて、セレクタ３８に入力するＤＡＢのオーディオデータの音量レベルを、セレクタ３８に入力しているＦＭ放送のオーディオデータの音量レベルに一致させる第１デジタルアンプ３６のゲインを算定し、第１デジタルアンプ３６に設定する（ステップ６０８）。
【００６４】
そして、受信対象放送をＤＡＢ受信部１で受信しているＤＡＢのサービスに切り替え、セレクタ３８がＤＡコンバータ３９に出力するオーディオデータを、第１デジタルアンプ３６から出力されるＤＡＢのオーディオデータに切り替える（ステップ６１０）。ここで、これにより、スピーカ５から出力される音声が、ＤＡＢの音声に切り替わる。
【００６５】
また、受信対象放送がＤＡＢのサービスに切り替わったことにより、上述のようにＦＭ放送切替準備処理が開始され、ＦＭ放送切替準備処理の実行が、そのＤＡＢのサービスが受信対象放送である期間中継続される。
【００６６】
以上、制御部６が行うＤＡＢ切替処理について説明した。
ここで、このように受信対象放送をＦＭ放送のステーションからＤＡＢのステーションに切り替える際には、ＤＡＢのオーディオデータの音量レベルとＦＭ放送のオーディオデータの音量レベルを取得して第１デジタルアンプ３６のゲインを調整した後、直ちに、スピーカ５から出力する音声がＦＭ放送のステーションの音声からＤＡＢのサービスの音声に切り替わるので、ＦＭ受信部２の音声調整部２５の音声調整機能がオンであっても、切替前後でスピーカ５から出力する音量レベルの差が大きくなることはない。
【００６７】
以上、本発明の実施形態について説明した。
なお、以上の実施形態では、ＦＭ放送とＤＡＢを受信するラジオ受信装置について示したが、本実施形態は、サイマル放送の関係にある任意のアナログ放送と任意のデジタル放送間で、音声を出力する放送の切替を行う放送受信装置ついて同様に適用することができる。
【符号の説明】
【００６８】
１…ＤＡＢ受信部、２…ＦＭ受信部、３…切替処理部、４…アンプ、５…スピーカ、６…制御部、７…表示部、８…操作部、１１…ＤＡＢフロントエンド、１２…ＤＡＢデコーダ、１３…オーディオデコーダ、２１…ＦＭフロントエンド、２２…ＦＭ復調部、２３…ＲＤＳデコーダ、２４…ＡＤコンバータ、２５…音声調整部、３１…第１バッファ、３２…第２バッファ、３３…同期処理部、３４…第１音量レベル検出部、３５…第２音量レベル検出部、３６…第１デジタルアンプ、３７…第２デジタルアンプ、３８…セレクタ、３９…ＤＡコンバータ。
【図１】
2018082350.tif 000003
【図２】
2018082350.tif 000004
【図３】
2018082350.tif 000005
【図４】
2018082350.tif 000006
【図５】
2018082350.tif 000007
【図６】
2018082350.tif 000008